(57)【要約】【課題】カウルルーバーの基材と金型との間に多少のずれが生じても溶融樹脂が洩れるのを防止して遮熱リブの直接成形を可能とし、基材に対する遮熱リブの組付け工程を不要として生産コストの低減を図る。【解決手段】カウルルーバーの基材に軟質樹脂からなる遮熱リブを直接成形するカウルルーバーにおける遮熱リブ成形方法であって、カウルルーバーの基材１２において、遮熱リブとの一体化が予定されているリブ結合面１８の両側辺に突条部２０がそれぞれ連続して成形されており、基材１２を上下の金型３０，３１の間にセットして型締めしたときに、金型３１の接合面３２に両突条部２０を接触させる。これにより、基材１２のリブ結合面１８と金型３１の接合面３２との間にキャビティー３６に連通した成形空間Ｓを構成し、この成形空間の側からキャビティーに溶融状態の軟質樹脂を射出する。【選択図】図６
2015051598.tif 000002
【特許請求の範囲】
【請求項１】
車両用のカウルルーバーを成形する工程において、このカウルルーバーの基材に軟質樹脂からなる遮熱リブを直接成形するカウルルーバーにおける遮熱リブ成形方法であって、
カウルルーバーの基材において、遮熱リブとの一体化が予定されているリブ結合面の両側辺に突条部がそれぞれ連続して成形されており、この基材を上下の金型の間にセットして型締めしたときに、キャビティーを備えた金型の接合面に対し、該キャビティーを挟んだ両側において両突条部を接触させることにより、基材のリブ結合面と金型の接合面との間にキャビティーに連通した成形空間を構成し、この成形空間の側からキャビティーに溶融状態の軟質樹脂を射出するカウルルーバーにおける遮熱リブ成形方法。
【発明の詳細な説明】
【技術分野】
【０００１】
本発明は、車両用のカウルルーバーにおいて、エンジンからの熱気を遮断するための遮熱リブを成形するための遮熱リブ成形方法に関する。
【背景技術】
【０００２】
このように、エンジンの熱気が車内に入り込むのを遮断するための遮熱リブは、カウルルーバーとエンジンフードの内側との間を気密状態に保つ機能が要求される。この要求に応えるべく、カウルルーバーの所定箇所にエラストマー（TPE）等の軟質樹脂からなる遮熱リブを直接成形する技術が開発の途上にある。
軟質樹脂からなる遮熱リブの一例が特許文献１に開示されている。特許文献１の遮熱リブは、カウルルーバーに組付けられるベース部材とエンジンフードの内側に接触するシール部材とによって構成されている。これらの両部材は、PP等の硬質樹脂で成形されたベース部材に対し、TPE等の軟質樹脂からなるシール材を直接成形することで一体化されている。
【先行技術文献】
【特許文献】
【０００３】
【特許文献１】特開２０１２−６１８７６号公報
【発明の概要】
【発明が解決しようとする課題】
【０００４】
カウルルーバーの基材に対して遮熱リブを直接成形する場合、基材と金型との間から溶融樹脂が洩れ出し、このことが遮熱リブの直接成形を困難にしている。具体的には、カウルルーバーの成形後における基材の収縮により、遮熱リブの成形時における金型と基材とが設定位置から相対的にずれることとなる。このため、金型と基材との突合わせ部に隙間が生じる。この隙間から溶融樹脂が洩れ出してしまう。
そこで、特許文献１で開示された技術では、カウルルーバーと遮熱リブとを別に成形した後、これらを組付けるといった手段を敢えて採用している。
【０００５】
本発明は、このような課題を解決しようとするもので、その目的は、カウルルーバーの基材と金型との間に多少のずれが生じても溶融樹脂が洩れるのを防止して遮熱リブの直接成形を可能とし、基材に対する遮熱リブの組付け工程を不要として生産コストの低減を図ることである。
【課題を解決するための手段】
【０００６】
本発明は、上記の目的を達成するためのもので、以下のように構成されている。
車両用のカウルルーバーを成形する工程において、このカウルルーバーの基材に軟質樹脂からなる遮熱リブを直接成形するカウルルーバーにおける遮熱リブ成形方法であって、カウルルーバーの基材において、遮熱リブとの一体化が予定されているリブ結合面の両側辺に突条部がそれぞれ連続して成形されており、この基材を上下の金型の間にセットして型締めしたときに、キャビティーを備えた金型の接合面に対し、該キャビティーを挟んだ両側において両突条部を接触させる。これにより、基材のリブ結合面と金型の接合面との間にキャビティーに連通した成形空間を構成し、この成形空間の側からキャビティーに溶融状態の軟質樹脂を射出する。
【発明の効果】
【０００７】
本発明では、カウルルーバーの基材におけるリブ結合面の両側辺に連続して成形されている突条部を、キャビティーを備えた金型の接合面に接触させ、基材のリブ結合面と金型の接合面との間にキャビティーに連通した成形空間を構成している。これにより、遮熱リブの成形時において、金型と基材との相対的な位置に多少のずれが生じても、基材のリブ結合面と金型の接合面との間から溶融樹脂が洩れることが防止され、キャビティーと成形空間との連通状態が保たれている限り、適正な成形が維持される。この結果、遮熱リブの成形は、基材の成形直後であれ、数十時間経過後であれ、基材の成形後の収縮程度に関係なく作業を実施でき、かつ、その品質を保つことができる。
なお、カウルルーバーの成形工程において、カウルルーバーの基材に遮熱リブを直接成形することで、基材に対する遮熱リブの組付け工程を不要とし、生産コストの低減を図ることができるとともに、遮熱リブをTPE等の軟質樹脂で成形することも容易となり、遮熱リブによる密封性を高めて遮熱機能を向上させることができる。
【図面の簡単な説明】
【０００８】
【図１】車両用のカウルルーバーを表した斜視図。
【図２】図１に示されている遮熱リブの箇所を拡大して表した斜視図。
【図３】カウルルーバーの遮熱リブとエンジンフードとの関係を表した断面図。
【図４】遮熱リブの成形状態を表した断面図。
【図５】図４のV−V矢視方向の断面図。
【図６】図５の一部を拡大して表した断面図。
【発明を実施するための形態】
【０００９】
以下、本発明を実施するための形態を、図面を用いて説明する。なお、図１〜３に示されている矢印Ｆは車両のフロント方向を示し、矢印Ｒは車両のリヤ方向を示している。
図１で示す外観を呈した車両用のカウルルーバー１０は、樹脂による一体成形品であって、車幅方向へ長く延びている。このカウルルーバー１０は、その基材１２の表裏面に貫通した複数個の通気孔１４を備えているとともに、基材１２のフロント側に位置する凹形状の外気通路１６を備えている。外気通路１６は、カウルルーバー１０の長手方向（車幅方向）へ延びており、その内部を流れる外気が複数個の通気孔１４を通って車室内（エアコンユニット）に供給される。
【００１０】
カウルルーバー１０のフロント側の上面には、フードシール２８が車幅方向に沿って設けられており、またカウルルーバー１０の上部には、エンジンフード２６のリヤ側部分が被さっている（図３）。フードシール２８は、エンジンの熱気がエンジンルームからカウルルーバー１０とエンジンフード２６との間を通って通気孔１４に直接入り込むのを防止するためのものである。
【００１１】
一方、カウルルーバー１０における外気通路１６の内部には、車幅方向の両端部近くにおいて遮熱リブ２４がそれぞれ設けられている。これらの遮熱リブ２４は、TPE等の軟質樹脂によって成形され、その基部２４ａはカウルルーバー１０の基材１２と一体化され、端部２４ｂはフードシール２８の内側面に接触している。これにより、車両の両サイド側から外気通路１６に入り込むエンジンの熱気を遮熱リブ２４で遮断し、熱気が車内に入り込むのを防止する。
【００１２】
基材１２において、遮熱リブ２４の基部２４ａが一体化されているリブ結合面１８（図３）の両側辺には、外気通路１６の内壁全域にわたって連続する突条部２０がそれぞれ成形されている。これらの突条部２０は、リブ結合面１８よりも突出しており、遮熱リブ２４の成形時において後述の機能を果たす。
なお、基材１２のリブ結合面１８には、つぎに説明する成形装置のホットランナー３８と連通する箇所において表裏に貫通した連通孔２２が開けられている（図６）。
【００１３】
遮熱リブ２４は、カウルルーバー１０の基材１２に対して直接成形されるのであり、そのための成形装置を図４〜６によって説明する。
成形装置の構成は、上下の金型３０，３１と射出ユニット４０とに大別される。上金型３０は、固定ベース３４の下面に取付けられているとともに、固定ベース３４および型内を貫通するホットランナー３８を備えている。下金型３１は、可動ベース３５の上面に取付けられており、型内に遮熱リブ２４を成形するためのキャビティー３６を備えている。射出ユニット４０は、その先端の射出ノズル（図示省略）を上金型３０のホットランナー３８に連通させた状態で設置されている。
【００１４】
カウルルーバー１０の基材１２に対して遮熱リブ２４を直接成形するには、既に成形された基材１２を裏返した状態で成形装置の下金型３１にセットする。つまり、この状態での基材１２は、その裏面側を上にし、表面側のリブ結合面１８を下金型３１の側に向けてセットされる。この後、下金型３１の可動ベース３５を上昇させて型締めすることにより、基材１２が両金型３０，３１の間に挟み込まれる（図４〜６）。
型締め状態での下金型３１の接合面３２には、カウルルーバー１０の長手方向（車幅方向）に関するキャビティー３６の両側において、基材１２の両突条部２０が個別に押付けられて隙間なく接触している（図６）。これにより、基材１２のリブ結合面１８と下金型３１の接合面３２との間には、キャビティー３６に連通した密閉状態の成形空間Ｓが構成されている。
【００１５】
つづいて、射出ユニット４０から溶融状態の軟質樹脂を射出することにより、上金型３０のホットランナー３８、基材１２の連通孔２２および成形空間Ｓを通じて下金型３１のキャビティー３６に軟質樹脂が充填される。この結果、基材１２のリブ結合面１８に軟質樹脂からなる遮熱リブ２４が直接成形される。そして、成形空間Ｓに充填された軟質樹脂が遮熱リブ２４の基部２４ａに相当し、この基部２４ａが基材１２のリブ結合面１８に対して一体化されている。
軟質樹脂が硬化した後、可動ベース３５を下降させて型開きし、基材１２を遮熱リブ２４と共に下金型３１から取外す。
【００１６】
前述のように、金型３０，３１の型締め状態において、下金型３１の接合面３２と基材１２のリブ結合面１８との間にキャビティー３６と連通した密閉状態の成形空間Ｓを構成することにより、下金型３１の接合面３２と基材１２との間に図５，６の左右方向に関して多少のずれが生じても、基材１２と下金型３１との間から溶融樹脂が洩れるのを防止できる。
したがって、基材１２が成形された後の収縮程度に影響されることなく、密閉状態の成形空間Ｓが確保されている限り、遮熱リブ２４を直接成形することができる。したがって、カウルルーバー１０の成形工程において、基材１２の成形直後であれ、成形から数十時間経過後であれ、遮熱リブ２４の直接成形が可能となる。
【００１７】
また、カウルルーバー１０の基材１２に遮熱リブ２４を直接成形することにより、カウルルーバー１０の成形工程において、基材１２に遮熱リブ２４を組付ける作業が不要となる。しかも、遮熱リブ２４をTPE等の軟質樹脂で成形することも容易となり、この遮熱リブ２４の機能、すなわち車両の両サイド側から外気通路１６に入り込むエンジンの熱気を遮断する機能を高めることができる。
【符号の説明】
【００１８】
１０   カウルルーバー
１２   基材
１８   リブ結合面
２０   突条部
２４   遮熱リブ
３０，３１    金型
３２   接合面
３６   キャビティー
Ｓ     成形空間
【図１】
2015051598.tif 000003
【図２】
2015051598.tif 000004
【図３】
2015051598.tif 000005
【図４】
2015051598.tif 000006
【図５】
2015051598.tif 000007
【図６】
2015051598.tif 000008